(57)【要約】【課題】一般ユーザにより通信開始が入力操作されても、適切な待機時間が経過してからデータ通信が開始されるデータ通信装置を提供する。【解決手段】データ通信装置である携帯電話端末１０００は、データ通信である無線通話の通信先情報である電話番号の入力操作を通信先入力部１１０が受け付ける。入力操作された電話番号での通信開始の入力操作を開始入力部１２０が受け付ける。通信開始の入力操作に対応して電話番号に対応した他の無線通話装置である携帯電話端末２０００との無線通話を通信実行部１３０が実行する。ただし、通信開始が入力操作されると所定の待機時間を時間計測部１４０が計時する。待機時間が計時されるまで無線通話の開始を通信遅延部１５０が遅延させる。【選択図】図１
2011160170.tif 000002
【特許請求の範囲】
【請求項１】
データ通信の通信先データの入力操作を受け付ける通信先入力手段と、
入力操作された前記通信先データでの通信開始の入力操作を受け付ける開始入力手段と、
前記通信開始の入力操作に対応して前記通信先データに対応した他のデータ通信装置との前記データ通信を実行する通信実行手段と、
前記通信開始が入力操作されると所定の待機時間を計時する時間計測手段と、
前記待機時間が計時されるまで前記データ通信の開始を遅延させる通信遅延手段と、
を有するデータ通信装置。
【請求項２】
計時されている前記待機時間の残存時間を表示出力する時間表示手段を、
さらに有する請求項１に記載のデータ通信装置。
【請求項３】
前記待機時間が計時されているときに即時開始の入力操作を受け付ける即時入力手段と、
前記即時開始が入力操作されると前記データ通信を即時に開始させる遅延中止手段とを、
さらに有する請求項１または２に記載のデータ通信装置。
【請求項４】
前記待機時間が計時されているときに通信中止の入力操作を受け付ける中止入力手段と、
前記通信中止が入力操作されると前記データ通信の開始を中止する通信中止手段とを、
さらに有する請求項１ないし３の何れか一項に記載のデータ通信装置。
【請求項５】
前記データ通信を即座に開始する特定の前記通信先データを記憶する通信先記憶手段と、
記憶されている特定の前記通信先データが入力操作されてから前記通信開始が入力操作されると前記データ通信を即座に開始させる即時開始手段とを、
さらに有する請求項１ないし４の何れか一項に記載のデータ通信装置。
【請求項６】
他のデータ通信装置とデータ通信するデータ通信装置のコンピュータプログラムであって、
前記データ通信の通信先データの入力操作を受け付ける通信先入力処理と、
入力操作された前記通信先データでの通信開始の入力操作を受け付ける開始入力処理と、
前記通信開始の入力操作に対応して前記通信先データに対応した他のデータ通信装置との前記データ通信を実行する通信実行処理と、
前記通信開始が入力操作されると所定の待機時間を計時する時間計測処理と、
前記待機時間が計時されるまで前記データ通信の開始を遅延させる通信遅延処理と、
をデータ通信装置に実行させるコンピュータプログラム。
【請求項７】
他のデータ通信装置とデータ通信するデータ通信装置のデータ処理方法であって、
前記データ通信の通信先データの入力操作を受け付ける通信先入力動作と、
入力操作された前記通信先データでの通信開始の入力操作を受け付ける開始入力動作と、
前記通信開始の入力操作に対応して前記通信先データに対応した他のデータ通信装置との前記データ通信を実行する通信実行動作と、
前記通信開始が入力操作されると所定の待機時間を計時する時間計測動作と、
前記待機時間が計時されるまで前記データ通信の開始を遅延させる通信遅延動作と、
を有するデータ処理方法。
【発明の詳細な説明】
【技術分野】
【０００１】
本発明は、データ通信の通信先データが入力操作されてから通信開始が入力操作されるとデータ通信を実行するデータ通信装置、そのコンピュータプログラムおよびデータ処理方法、に関する。
【背景技術】
【０００２】
現在主流のデータ通信装置である３Ｇ(3rd Generation)の携帯電話端末の通信規格（例えば、３ＧＰＰ(３Ｇ Partnership Project) Release ５)等では、通話発信時に相手呼び出しまでの接続時間は５秒程度を要している。
【０００３】
一方、今後主流となる見込みの通信規格ＬＴＥ(Long Term Evolution : ３ＧＰＰ Release ８)等では、同接続時間が０．１秒程度と大幅に短縮される。現在、上述のようなデータ通信装置として各種の提案がある。
【０００４】
例えば、発信制御手段を備えた通信端末装置に関し、電波受信感度の劣化等により切断された二つの移動局間で再通話を試みるような場合、移動局同士の発着信が円滑に行われるように発信制御し、無効な発信による電波放射を防止する提案がある。
【０００５】
その技術では、直前の呼接続処理時に接続相手の通信端末装置とのネゴシエーションにより、互いに排他的な第一モードまたは第二モードを発信制御モード設定部に設定しておき、直前の接続相手の番号を複数の履歴情報記憶手段に記憶しておく。
【０００６】
ＯＦＦキーの操作後、第一タイマーによる所定の時間以内に複数のＯＮキーが操作された場合、第一モードが設定されている通信端末装置は、発信接続処理を行い、第二モードが設定されている通信端末装置は、第二タイマーによる所定の時間、履歴情報記憶手段に記憶された番号への発信接続を規制する制御部を備える（特許文献１）。
【０００７】
また、通信途中で通信断となった場合、より確実に通信を再開できるようにする提案もある。その技術では、発信側携帯電話のＣＰＵは、通話相手との間で通話が確立した後に、操作部による通信終了の入力によらずに通信断となった場合、自動的に通信相手に発信して通話再開をはかる。
【０００８】
着信側携帯電話のＣＰＵは、通話相手との間で通話が確立した後に、操作部による通信終了の入力操作によらずに通信断となった場合、発信側携帯電話からの再コールがない場合には、通信断から所定時間経過後に発信側携帯電話に発信して、通話再開をはかる（特許文献２）。
【先行技術文献】
【特許文献】
【０００９】
【特許文献１】特開２００２−２０４４７９号公報
【特許文献２】特開２００６−０１１６６０号公報
【発明の概要】
【発明が解決しようとする課題】
【００１０】
通信規格ＬＴＥのデータ通信装置では、データ通信を迅速に開始することができる。しかし、手動操作を行う人間にとって０．１秒は非常に短い時間であるため、発信操作直後、例えば、操作の完了を確認して耳に受話器を当てる前に相手の呼び出しが始まることになり、一般ユーザによっては、このことで慌ててしまい、精神的重圧になることも考えられる。
【００１１】
本発明は上述のような課題に鑑みてなされたものであり、一般ユーザにより通信開始が入力操作されても、適切な待機時間が経過してからデータ通信を開始するデータ通信装置、そのコンピュータプログラムおよびデータ処理方法、を提供するものである。
【課題を解決するための手段】
【００１２】
本発明のデータ通信装置は、データ通信の通信先データの入力操作を受け付ける通信先入力手段と、入力操作された通信先データでの通信開始の入力操作を受け付ける開始入力手段と、通信開始の入力操作に対応して通信先データに対応した他のデータ通信装置とのデータ通信を実行する通信実行手段と、通信開始が入力操作されると所定の待機時間を計時する時間計測手段と、待機時間が計時されるまでデータ通信の開始を遅延させる通信遅延手段と、を有する。
【００１３】
本発明のコンピュータプログラムは、他のデータ通信装置とデータ通信するデータ通信装置のコンピュータプログラムであって、データ通信の通信先データの入力操作を受け付ける通信先入力処理と、入力操作された通信先データでの通信開始の入力操作を受け付ける開始入力処理と、通信開始の入力操作に対応して通信先データに対応した他のデータ通信装置とのデータ通信を実行する通信実行処理と、通信開始が入力操作されると所定の待機時間を計時する時間計測処理と、待機時間が計時されるまでデータ通信の開始を遅延させる通信遅延処理と、をデータ通信装置に実行させる。
【００１４】
本発明のデータ処理方法は、他のデータ通信装置とデータ通信するデータ通信装置のデータ処理方法であって、データ通信の通信先データの入力操作を受け付ける通信先入力動作と、入力操作された通信先データでの通信開始の入力操作を受け付ける開始入力動作と、通信開始の入力操作に対応して通信先データに対応した他のデータ通信装置とのデータ通信を実行する通信実行動作と、通信開始が入力操作されると所定の待機時間を計時する時間計測動作と、待機時間が計時されるまでデータ通信の開始を遅延させる通信遅延動作と、を有する。
【００１５】
なお、本発明の各種の構成要素は、その機能を実現するように形成されていればよく、例えば、所定の機能を発揮する専用のハードウェア、所定の機能がコンピュータプログラムにより付与されたデータ通信装置、コンピュータプログラムによりデータ通信装置に実現された所定の機能、これらの任意の組み合わせ、等として実現することができる。
【００１６】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１７】
また、本発明のコンピュータプログラムおよびデータ処理方法は、複数の処理および動作を順番に記載してあるが、その記載の順番は複数の処理および複数の動作を実行する順番を限定するものではない。
【００１８】
このため、本発明のコンピュータプログラムおよびデータ処理方法を実施するときには、その複数の処理および複数の動作の順番は内容的に支障しない範囲で変更することができる。
【００１９】
さらに、本発明のコンピュータプログラムおよびデータ処理方法は、複数の処理および複数の動作が個々に相違するタイミングで実行されることに限定されない。このため、ある処理および動作の実行中に他の処理および動作が発生すること、ある処理および動作の実行タイミングと他の処理および動作の実行タイミングとの一部ないし全部が重複していること、等でもよい。
【発明の効果】
【００２０】
本発明のデータ通信装置では、データ通信の通信先データの入力操作を通信先入力手段が受け付ける。入力操作された通信先データでの通信開始の入力操作を開始入力手段が受け付ける。通信開始の入力操作に対応して通信先データに対応した他のデータ通信装置とのデータ通信を通信実行手段が実行する。ただし、通信開始が入力操作されると所定の待機時間を時間計測手段が計時する。待機時間が計時されるまでデータ通信の開始を通信遅延手段が遅延させる。このため、一般ユーザにより通信開始が入力操作されても、適切な待機時間が経過してからデータ通信が開始される。
【図面の簡単な説明】
【００２１】
【図１】本発明の実施の形態のデータ通信装置である携帯電話端末の論理構造を示す模式的なブロック図である。
【図２】携帯電話端末の外観を示す正面図である。
【図３】携帯電話端末のデータ処理方法を示すフローチャートである。
【図４】携帯電話端末のディスプレイの表示画面を示す模式的な正面図である。
【発明を実施するための形態】
【００２２】
本発明の実施の一形態を図面を参照して以下に説明する。本実施の形態のデータ通信装置である携帯電話端末１０００は、図１に示すように、データ通信である無線通話の通信先データとして電話番号の入力操作を受け付ける通信先入力部１１０と、入力操作された電話番号での通信開始の入力操作を受け付ける開始入力部１２０と、通信開始の入力操作に対応して電話番号に対応した他の携帯電話端末２０００との無線通話を実行する通信実行部１３０と、通信開始が入力操作されると所定の待機時間を計時する時間計測部１４０と、待機時間が計時されるまで無線通話の開始を遅延させる通信遅延部１５０と、を有する。
【００２３】
また、本実施の形態の携帯電話端末１０００は、計時されている待機時間の残存時間を表示出力する時間表示部１６０と、待機時間が計時されているときに即時開始の入力操作を受け付ける即時入力部１７０と、即時開始が入力操作されると無線通話を即時に開始させる遅延中止部１８０と、待機時間が計時されているときに通信中止の入力操作を受け付ける中止入力部１９０と、通信中止が入力操作されると無線通話の開始を中止する通信中止部２００と、無線通話を即座に開始する特定の電話番号を記憶する通信先記憶部２１０と、記憶されている特定の電話番号が入力操作されてから通信開始が入力操作されると無線通話を即座に開始させる即時開始部２２０とを、さらに有する。
【００２４】
上述のような各種手段は、後述する各種のハードウェアと連携するコンピュータユニットが、適切なコンピュータプログラムに対応して動作することで論理的に実現されている。
【００２５】
このようなコンピュータプログラムは、例えば、無線通話の電話番号の入力操作を受け付ける通信先入力処理と、入力操作された電話番号での通信開始の入力操作を受け付ける開始入力処理と、通信開始の入力操作に対応して電話番号に対応した他の携帯電話端末２０００との無線通話を実行する通信実行処理と、通信開始が入力操作されると所定の待機時間を計時する時間計測処理と、待機時間が計時されるまで無線通話の開始を遅延させる通信遅延処理と、を携帯電話端末１０００に実行させるように記述されている。
【００２６】
より具体的には、本実施の形態の携帯電話端末１０００では、図２に示すように、１０は扁平な直方体状の端末本体である。１１は情報を表示するためのディスプレイである。１２は発信命令を行うＳＥＮＤキーである。
【００２７】
１３は終話・中止命令を行うＥＮＤキーである。１４は電話番号や記号を入力するためのキーパッドである。１５は図示しない電話帳等の付帯機能を操作するための操作キーである。
【００２８】
通話発信操作は、キーパッド１４からの直接入力、または操作キー１５を使った電話帳からの読み出しにより電話番号を入力した後に、ＳＥＮＤキー１２を押下することにより行われる。
【００２９】
このとき、ディスプレイ１１には発信先の電話番号や、発信中である旨、あるいは次の操作を示すメッセージが表示される。通話発信操作の中止、終話操作はＥＮＤキー１３により行われる。
【００３０】
上述のような構成において、本実施の形態の携帯電話端末１０００のデータ処理方法を図３を参照して以下に説明する。
【００３１】
Ｓ１０１：キーパッド１４からの直接入力、または操作キー１５を使った電話帳からの読み出しにより電話番号を入力した後に、ＳＥＮＤキー１２が押下されると通話発信動作を開始する。Ｓ１０２に進む。
【００３２】
Ｓ１０２：発信相手先番号が予め設定された緊急呼番号であった場合は、直ちに発信信号を送出するためＳ１０７に進む。そうでない場合はＳ１０３に進む。
【００３３】
Ｓ１０３：ネットワークに対する発信信号の送出を遅らせる遅延タイマーを起動し、Ｓ１０４に進む。発信信号の送出を遅延させているときのディスプレイ１１の表示例を図４に示す。
【００３４】
Ｓ１０４：通話発信動作開始後、再度ＳＥＮＤキー１２が押下された場合は直ちに発信信号を送出するためＳ１０７に進む。そうでない場合はＳ１０５に進む。
【００３５】
Ｓ１０５：通話発信動作開始後、ＥＮＤキー１３が押下された場合は直ちに通話発信動作を中止するためＳ１０８に進む。そうでない場合はＳ１０６に進む。
【００３６】
Ｓ１０６：Ｓ１０３で設定した遅延タイマーが満了していた場合は発信信号を送出するためＳ１０７に進む。そうでない場合はＳ１０４に戻る。
【００３７】
Ｓ１０７：ネットワークに対して発信信号を送出し、実際の通話発信を行う。
【００３８】
Ｓ１０８：通話発信動作を終了する。
【００３９】
本発明の携帯電話端末１０００では、上述のように無線通話の電話番号の入力操作を受け付け、入力操作された電話番号での通信開始の入力操作を受け付け、通信開始の入力操作に対応して電話番号に対応した他の携帯電話端末２０００との無線通話を実行する。
【００４０】
ただし、通信開始が入力操作されると所定の待機時間を計時し、待機時間が計時されるまで無線通話の開始を遅延させる。このため、一般ユーザにより通信開始が入力操作されても、適切な待機時間が経過してから無線通話が開始される。
【００４１】
従って、操作の完了を確認して耳に受話器を当てる前に相手の呼び出しが始まるようなことが防止されるので、上述のような呼び出しにより一般ユーザが慌ててしまい、精神的重圧になるようなことがない。
【００４２】
しかも、本実施の形態の携帯電話端末１０００では、計時されている待機時間の残存時間を表示出力する。このため、一般ユーザは発呼が実行されるまでの時間をリアルタイムに確認することができる。
【００４３】
さらに、待機時間が計時されているときに即時開始の入力操作を受け付け、即時開始が入力操作されると無線通話を即時に開始させる。このため、一般ユーザの所望により発呼を即時に開始することもできる。
【００４４】
また、待機時間が計時されているときに通信中止の入力操作を受け付け、通信中止が入力操作されると無線通話の開始を中止する。このため、電話番号の間違いや気持ちの変化などにより、発呼を開始される以前に中止することもできる。
【００４５】
さらに、無線通話を即座に開始する特定の電話番号を記憶し、記憶されている特定の電話番号が入力操作されてから通信開始が入力操作されると無線通話を即座に開始させる。このため、救急車の要請など即座に発呼することが必要な電話番号は、自動的に即座に発呼することができる。
【００４６】
なお、本発明は本実施の形態に限定されるものではなく、その要旨を逸脱しない範囲で各種の変形を許容する。例えば、上記形態ではデータ通信装置として携帯電話端末１０００を例示し、そのデータ通信として無線通話を例示した。しかし、本実施の形態のデータ通信装置は、固定電話にも適用することができ、パーソナルコンピュータや携帯電話端末の電子メールなどに適用することもできる。
【００４７】
さらに、本実施の形態では携帯電話端末１０００の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００４８】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００４９】
１０    端末本体
１１    ディスプレイ
１２    ＳＥＮＤキー
１３    ＥＮＤキー
１４    キーパッド
１５    操作キー
１１０    通信先入力部
１２０    開始入力部
１３０    通信実行部
１４０    時間計測部
１５０    通信遅延部
１６０    時間表示部
１７０    即時入力部
１８０    遅延中止部
１９０    中止入力部
２００    通信中止部
２１０    通信先記憶部
２２０    即時開始部
１０００    携帯電話端末
２０００    携帯電話端末
【図１】
2011160170.tif 000003
【図２】
2011160170.tif 000004
【図３】
2011160170.tif 000005
【図４】
2011160170.tif 000006